(57)【要約】【課題】低消費電力で、かつ、洗濯物が傷まないような洗濯物乾燥できることを目的とする。【解決手段】外枠２内に、横流ファン３と、横流ファン３を回転させるモータ４と、風向風速制御装置５とを備えた送風装置１であって、外枠２の上面に室内の空気を吸い込む吸込口６と、外枠２の正面に室内の空気を吸い込んだ空気を吹き出す風向風速制御装置５を備えた吹出口７を設け、風向風速制御装置５により室内の洗濯物８に吸い込んだ空気を吹き当てることにより洗濯物乾燥を行う送風装置であって、外枠２は、幅寸法に対して高さ及び奥行きの寸法が小さくすることで、外観の見栄えがよく、かつ、効率のよい洗濯物乾燥ができる送風装置を提供する。【選択図】図１
2011147688.tif 000002
【特許請求の範囲】
【請求項１】
外枠内に、横流ファンと、前記横流ファンを回転させるモータと、風向風速制御装置とを備え、前記外枠の上面に室内の空気を吸い込む吸込口と、前記吸込口にフィルターを設け、前記外枠の正面に前記室内の空気を吸い込んだ空気を吹き出す前記風向風速制御装置を備えた吹出口を設け、前記外枠内の前記吹出口の付近に静電霧化装置を設ける送風装置であって、前記外枠は、幅寸法に対して高さ及び奥行きの寸法が小さく、前記外枠内に前記横流ファンによる流れを誘発・制御する舌片及び風路面を備え、吹き出された風を洗濯物に当てることで、洗濯物乾燥を行うことを特徴とした送風装置。
【請求項２】
舌片は２つの曲面凸形状を有し、前記曲面凸形状と横流ファンとの距離を極力小さくし、前記舌片の前記曲面凸形状のＲを極力大きくすることを特徴とした請求項１に記載の送風装置。
【請求項３】
風路面にリブを備え、前記リブは前記風路面に垂直かつ、横流ファンを軸方向に垂直に区切っているリング面と同一平面に複数個備えることを特徴とした請求項１または２に記載の送風装置。
【請求項４】
横流ファンの端位置に、風路面に垂直で、かつ、横流ファンの端面と同一平面にリブを備えることを特徴とした請求項１〜３のいずれかに記載の送風装置。
【請求項５】
リブ形状が半円状であり、横流ファンとの距離を極力小さくすることを特徴とした請求項４に記載の送風装置。
【請求項６】
外枠内の吹出口側に、吸込口側よりも多く空間を持つように横流ファンが備えられることを特徴とした請求項１〜４のいずれかに記載の送風装置。
【請求項７】
吸込口と横流ファンの距離に対して、風向風速制御装置と距離を多くもつように前記横流ファンが備えられることを特徴とした請求項１〜５のいずれかに記載の送風装置。
【発明の詳細な説明】
【技術分野】
【０００１】
本発明は、洗濯物等を乾燥させることができる送風装置に関する。
【背景技術】
【０００２】
従来、この種の送風装置は、排気口を有する本体ケースと、室内の空気を吸い込むための吸込口と、吸い込んだ空気を室内内にもどす吹出口とを有する本体パネルとを備えて箱状に形成され、本体ケースの内部には、吸込口から空気を吸引して送風するための送風手段と、送風ファンからの空気の送風方向を排気口や吹出口に切り換えるためのダンパーと、送風ファンが吸い込んだ空気を暖める加熱手段とを備えたものが知られている。（例えば、特許文献１参照）。また、洗濯物を乾燥させる場合、洗濯物に対して加熱、送風を行うことにより、より短時間で洗濯物が乾燥する。しかしその際、熱源を用いることで多量のエネルギーを消費することが問題になっている。屋内で洗濯物を乾燥させる家庭では、例えば朝に洗濯物を干して出勤し夕方まで放置しておく、あるいは夜に洗濯物を干して就寝し朝まで放置しておくといったように、洗濯物が長時間放置される場合が多い。この場合必ずしも短時間で洗濯物を乾燥させる必要はなく、むしろある程度の時間をかけてもよいので省エネルギーに洗濯物を乾燥させたいというニーズがある。
【０００３】
以下、従来の送風装置について図４を参照しながら説明する。
【０００４】
図４に示すように、本体は、本体ケース１０１と、吸込口１０２と吹出口１０３とを有する本体パネル１０４とにより箱状に形成される。本体ケース１０１は、側面に排気口１０５を有し、内部に送風手段としての送風機１０７と、加熱手段としてのヒーター１０９と、送風機１０７が送風する空気の風路を切り換えるダンパー１１０を備える。本体ケース１０１には、さらにダンパー１１０の動作を制御する制御手段（図示せず）を備える。
【０００５】
従来の送風装置を室内の天井面１１３に設置して乾燥運転を行うと、送風機１０７が運転され、室内内の空気が吸込口１０２から吸引される。送風機１０７により吸引送風される空気は、ダンパー１１０によって仕切られた吹出口１０３と連通する風路において、ヒーター１０９によって暖められ、この暖められた空気は吹出口１０３から室内内へと戻される。またダンパー１１０は吹出口１０３と排気口１０５に同時に送風機１０７から供給される位置に開いており、吹出口１０３と排気口１０５より空気を送風することとなる。そして暖められた空気の循環を繰り返すことにより、室内内につりさげた洗濯物等を乾燥することができる。
【先行技術文献】
【特許文献】
【０００６】
【特許文献１】特開平１０−３２８４９４号公報
【発明の概要】
【発明が解決しようとする課題】
【０００７】
特許文献１に例示されるような従来の送風装置では、洗濯物を乾燥させようとした場合、送風機にシロッコファンが用いられているため、高さ方向の寸法が大きくなり、また、送風装置内部に設置される部品の点数が多く、本体寸法が大きくなるため、天井埋め込みを行わなければならないという課題がある。
【０００８】
本発明は、このような従来の課題を解決するものであり、送風装置が室内側へ飛びだす寸法が小さいため外観の見栄えがよく、かつ、効率のよい洗濯物乾燥できる送風装置を提供することを目的とする。
【課題を解決するための手段】
【０００９】
そして、この目的を達成するために、本発明は、外枠内に、横流ファンと、前記横流ファンを回転させるモータと、風向風速制御装置とを備え、前記外枠の上面に室内の空気を吸い込む吸込口と、前記外枠を設置する設置面に対し、垂直となるように前記吸込口にフィルターを設け、前記外枠の正面に前記室内の空気を吸い込んだ空気を吹き出す前記風向風速制御装置を備えた吹出口を設け、前記外枠内の前記吹出口の付近に静電霧化装置を設ける送風装置であって、前記外枠は、幅寸法に対して高さ及び奥行きの寸法が小さく、前記外枠内に前記横流ファンによる流れを誘発・制御する舌片及び風路面を備え、吹き出された風を洗濯物に当てることで、洗濯物乾燥を行うことを特徴としたものであり、これにより所期の目的を達成するものである。
【発明の効果】
【００１０】
本発明によれば、本体の幅寸法に対して、室内側へ飛び出す寸法が小さくなり、さらに、限られた外枠の空間内を利用し、横流ファンと舌片及び風路面によって所定時間内に洗濯物乾燥を行える風量を発生させることができるため、外観がスリムで見栄えが良く、かつ、効率の良い送風及び洗濯物乾燥を行うことができる。
【図面の簡単な説明】
【００１１】
【図１】本発明の実施の形態１の送風装置を示す図（（ａ）簡易側断面図、（ｂ）内部斜視図）
【図２】同送風装置の送風装置内の風速ベクトル図
【図３】同送風装置の内部正面図
【図４】従来の送風装置を示す断面図
【発明を実施するための形態】
【００１２】
本発明の請求項１記載の送風装置は、外枠内に、横流ファンと、前記横流ファンを回転させるモータと、風向風速制御装置とを備え、前記外枠の上面に室内の空気を吸い込む吸込口と、前記外枠を設置する設置面に対し、垂直となるように前記吸込口にフィルターを設け、前記外枠の正面に前記室内の空気を吸い込んだ空気を吹き出す前記風向風速制御装置を備えた吹出口を設け、前記外枠内の前記吹出口の付近に静電霧化装置を設る送風装置であって、前記外枠は、幅寸法に対して高さ及び奥行きの寸法が小さく、前記外枠内に前記横流ファンによる流れを誘発・制御する舌片及び風路面を備え、吹き出された風を洗濯物に当てることで、洗濯物乾燥を行うという構成を有する。これにより、本体の幅寸法に対して、室内側へ飛び出す寸法が小さくなり、さらに、限られた外枠の空間内を利用し、横流ファンと舌片及び風路面によって所定時間内に洗濯物乾燥を行える風量を発生させることで、外観がスリムで見栄えが良く、かつ、効率の良い送風及び洗濯物乾燥を行うことができるという効果を奏する。
【００１３】
また、舌片は２つの曲面凸形状を有し、曲面凸形状と横流ファンとの距離を極力小さくし、舌片の曲面凸形状のＲを極力大きくするという構成にしても良い。これにより、横流ファンと舌片との間から風が逆流することを防ぐことができ、かつ、横流ファンを横切る還流の状態を良化する事ができ、効率の良い送風及び洗濯物乾燥を行うことができるという効果を奏する。
【００１４】
また、風路面にリブを備え、前記リブは前記風路面に垂直かつ、横流ファンを軸方向に垂直に区切っているリング面と同一平面に複数個備えるという構成にしてもよい。これにより、横流ファンの区切られたセルからの流れをリブによって整流することとなるので、効率の良い送風及び洗濯物乾燥を行うことができるという効果を奏する。
【００１５】
また、横流ファンの端位置に、風路面に垂直で、かつ、横流ファンの端面と同一平面にリブを備えるという構成にしてもよい。これにより、横流ファンの両端の羽根部分からの流れが、リブによって確実に吹出口へと導かれることとなるので、効率の良い送風及び洗濯物乾燥を行うことができるという効果を奏する。
【００１６】
また、リブ形状が半円状であり、横流ファンとの距離を極力小さくするという構成にしてもよい。これにより、横流ファンとの隙間を小さくすることで、セルからの流れをリブによってより確実に吹出口へと導かれることとなるので、効率の良い送風及び洗濯物乾燥を行うことができるという効果を奏する。
【００１７】
また、外枠内の吹出口側に、吸込口側よりも多く空間を持つように横流ファンが備えられる構成にしてもよい。これにより、横流ファンからの流れを導く風路面を備えるスペースを多くとることで、スムーズに風が吹出口へ導かれることとなるので、効率の良い送風及び洗濯物乾燥を行うことができるという効果を奏する。
【００１８】
また、吸込口と横流ファンの距離に対して、風向風速制御装置と距離を多くもつように横流ファンが備えられるという構成にしてもよい。これにより、風向風速制御装置による風の偏向等の影響が横流ファンに働くことを抑制することとなるので、効率の良い送風及び洗濯物乾燥を行うことができるという効果を奏する。
【００１９】
以下、本発明の実施の形態について図面を参照しながら説明する。
【００２０】
（実施の形態１）
図１（ａ）は、本発明の送風装置１の簡易側断面図、図１（ｂ）は同送風装置の内部斜視図を示している。
【００２１】
図において、外枠２内に、横流ファン３と、横流ファン３を回転させるモータ４と、風向風速制御装置５とを備えた送風装置１であって、外枠２の上面に室内の空気を吸い込む吸込口６と、外枠２の前面に室内の空気を吸い込んだ空気を吹き出す風向風速制御装置５を備えた吹出口７を設け、吹き出された風を洗濯物に当てる構成とする。また、室内に外枠２を設置する設置面９に対し、垂直となるように吸込口６にフィルター１０を設け、外枠２内の吹出口７の付近に静電霧化装置１１を設ける構成とする。また、外枠２は幅寸法に対して高さ及び奥行きの寸法が十分に小さく、送風装置１は長い形状となっている。また、横流ファン３の周囲に舌片１２と風路面１３を備えている。
【００２２】
また、舌片１２は、２つの曲面凸形状を有し、曲面凸形状と横流ファンとの間に間隙１５を持ち、間隙１５を極力小さくし、舌片の曲面凸形状のＲを極力大きくするという構成となっている。図２に示すように、吹出口７側の凸形状Ｒ寸法をＲ１、吸込口６側の凸形状Ｒ寸法をＲ２とする。この間隙１５は、回転物である横流ファン３との距離は部品の寸法精度、組立精度を考慮し、部品が接触しない極力小さい値とした。
【００２３】
また、図３に送風装置１の内部正面図を示す。風路面１３にリブ１４を備え、リブ１４は風路面１３に垂直かつ、横流ファン３を軸方向に区切っているセルの端面１６と同一平面に備える構成となっている。なお、図はリブ１４の位置を示すために、風向風速制御装置５を取り外した状態のものである。
【００２４】
また、横流ファン３の端位置に、風路面１３に垂直で、かつ、横流ファン３の端面と同一平面にリブ１４を備える構成となっている。
【００２５】
また、図１（ａ）に示すように、リブ１４の形状が半円状であり、横流ファン３との距離を極力小さくするという構成となっている。
【００２６】
また、吹出口側に多く空間を持つように横流ファン３を備える構成となっている。
【００２７】
また、風向風速制御装置５と距離を多くもつように横流ファン３を備える構成となっている。
【００２８】
上記構成により、モータ４で横流ファン３を回転させることにより、舌片１２と風路面１３により横流ファン３を横切る還流が発生し、外枠２の上面の吸込口６からフィルター１０を通して室内の空気を吸い込み、吸い込んだ空気を外枠２の正面すなわち室内側に設けた風向風速制御装置５を備えた吹出口７から室内へ吹き出し、風向風速制御装置５により室内の洗濯物８に吸い込んだ空気を吹き当てる。
【００２９】
ここで、図２に送風装置１内の風速ベクトル図を示す。図に示すように、横流ファン３が回転し、かつ、舌片１２と風路面１３を備えることにより、横流ファン３を横切るような貫流が発生し送風装置１内に風が流れる。
【００３０】
このとき、洗濯物８表面の水分の剥離や、洗濯物８周辺の湿気を吹き飛ばす効果により、洗濯物８を乾燥させることができる。
【００３１】
このように本発明の実施の形態１の送風装置１によれば、本体の幅寸法に対して、室内側へ飛び出す寸法が小さくなり、さらに、限られた外枠の空間内を利用し、横流ファン３と舌片１２及び風路面１３によって所定時間内に洗濯物乾燥を行える風量を発生させることができるため、外観がスリムで見栄えが良く、かつ、効率の良い送風及び洗濯物乾燥を行うことができることとなる。
【００３２】
また、間隙１５が極力小さい値であるため、横流ファン３と舌片１２との間隙１５の間から風が逆流することを防ぐことができ、かつ、横流ファン３を横切る貫流の状態を良化する事ができ、効率の良い送風及び洗濯物乾燥を行うことができるという効果を奏する。
【００３３】
また、横流ファン３の区切られた各羽根部分からの流れをリブ１４によって整流することができ、効率の良い送風及び洗濯物乾燥を行うことができる。
【００３４】
また、横流ファン３の両端の羽根部分からの流れが、リブ１４によって確実に吹出口へと導かれるため、効率の良い送風及び洗濯物乾燥を行うことができる。
【００３５】
また、横流ファン３との隙間を小さくすることで、セルからの流れをリブ１４によってより確実に吹出口７へと導かれることとなるので、効率の良い送風及び洗濯物乾燥を行うことができる。
【００３６】
また、横流ファン３からの流れを導く風路面１３を備えるスペースを多くとることで、スムーズに風が吹出口へ導かれるため、効率の良い送風及び洗濯物乾燥を行うことができる。
【００３７】
また、風向風速制御装置５による風の偏向等の影響が横流ファン３に働くことを抑制することができるため、効率の良い送風及び洗濯物乾燥を行うことができる。
【００３８】
実施の形態１において、舌片の曲面凸形状で、Ｒ１＝６ｍｍ、Ｒ２＝４．２ｍｍとすることで、効率の良い送風及び洗濯物乾燥を行うことができる。
【産業上の利用可能性】
【００３９】
本発明の送風装置は、外観の見栄えがよく、かつ、効率のよい洗濯物乾燥ができることから、洗濯乾燥室や、サウナ、サンルーム等にも適用することができる。
【符号の説明】
【００４０】
１    送風装置
２    外枠
３    横流ファン
４    モータ
５    風向風速制御装置
６    吸込口
７    吹出口
８    洗濯物
９    設置面
１０  フィルター
１１  静電霧化装置
１２  舌片
１３  風路面
１４  リブ
１５  間隙
Ｒ１  吹出口側凸形状Ｒ寸法
Ｒ２  吸込口側凸形状Ｒ寸法
【図１】
2011147688.tif 000003
【図２】
2011147688.tif 000004
【図３】
2011147688.tif 000005
【図４】
2011147688.tif 000006